(57)【要約】      （修正有）【課題】小型化が可能なシャットオフノズルタイプの吐出ヘッドを提案する。【解決手段】吐出ヘッド本体２に、ポンプステムＳにつながる筒体１ｃの連係部位を残して該ヘッド本体２の内側領域を、内容物供給側Ｍとべース側Ｍ1とに区分する隔壁８を設け、該隔壁８のべース側Ｍ1の壁面に、該べース１の天面において弾性接触する舌片状の第１のばね部材８ｃ、８ｄと、第２のばね部材８ｈとを配置する。【選択図】図１
2010104917.tif 000002
【特許請求の範囲】
【請求項１】
容器のポンプステムにつながる筒体を有し、該ステムの動きに合わせて移動可能とするべースと、このべースを摺動可能に内挿するヘッド本体と、このヘッド本体の横向き開口に嵌合保持され、該横向き開口から突出する先端を有するノズル部と、このノズル部の内側でその軸芯に沿って前後にスライド可能に弾性支持され、該ヘッド本体の押し込みによる後方へのスライドにてノズル部の噴出開孔を開放して容器内の内容物を外界へ噴出させるノズルピンを備えた吐出ヘッドであって、
前記ヘッド本体に、その内側にて固定保持され、ポンプステムにつながる筒体の連係部位を残して該ヘッド本体の内側領域を、内容物供給側とべース側とに区分する隔壁を設け、
該隔壁のべース側の壁面に、該べースの天面において弾性接触する舌片状の第１のばね部材を配置し、
該隔壁の内容物供給側の壁面に、ノズル部の軸芯に対して斜め下向きの傾斜面を有するガイド部材と、このガイド部材に一体連結しノズルピンの後端部に連係する支持部材と、この支持部材を弾性保持する第２のばね部材とを配置し、
前記べースに、ガイド部材の傾斜面に当接する傾斜面を有し、ヘッド本体の押し込みによってガイド部材を支持部材とともに第２のばね部材の付勢力に抗してヘッド本体の後方へ押しやる起立部材を設けたことを特徴とする吐出ヘッド。
【請求項２】
前記第１のばね部材、第２のばね部材、ガイド部材及び隔壁は、それらが全て一体的に成形されて単一部材を構成する合成樹脂からなる、請求項１記載の吐出ヘッド。
【発明の詳細な説明】
【技術分野】
【０００１】
本発明は、加圧媒体を利用したエアゾール容器やプライミングポンプを備えた容器等のステムに装着してその押圧操作により容器内の内容物を適量排出するのに好適な吐出ヘッドに関するものであり、とくに該吐出ヘッドの内部構造の簡素化、サイズのコンパクト化を図ろうとするものである。
【背景技術】
【０００２】
乳液等の化粧料を入れる容器やシャンプー、リンスあるいは整髪料等を入れる容器にあっては使勝手の改善や衛生面の観点から、ハンディータイプ、据え置きタイプの容器にかかわりなく容器内の内容物を押圧操作により適量排出することを可能とした吐出ヘッドが装着されている。
【０００３】
ところで、この種の吐出ヘッドは、ノズルの噴出口は常に開放されたままになっているのが普通であり、液だれが発生するおそれがあり、しかも噴出ヘッド内に残存する内容物が固化してしまった場合においては噴出ヘッドをスムーズに作動させることができなくなったり、内容物が予期せぬ方向へ噴出してしまうなどの不都合があった。
【０００４】
上述のような従来の問題の解決を図るべく、近年に至っては、噴出ヘッドのヘッド本体内にノズルの噴出口に適合する先端部を有するノズルピンを組み込み、噴出ノズルの押圧操作に伴いノズルピンをスライドさせてノズルの噴出口を開放するようにした構造の吐出ヘッド（シャットオフノズルタイプの吐出ヘッド）が提案（例えば、特許文献１参照）されており、これにより噴出ヘッド内に残存した内容物の固化を回避する試みがなされているところ、上記従来の噴出ヘッドは、ノズルピン（摺動杵）の後端部に係合板を連係させてスライドさせる構造になっているため内部構造が比較的複雑であり、径方向のみならず、高さ方向の寸法が大きくなるのが避けられない状況にあり、外観形状をすっきりしたデザインに仕上げるにも限界があった。
【０００５】
また、シャットオフノズルタイプの吐出ヘッドは、その構成部材を合成樹脂で成形するのが基本になっているけれども、ノズルピンを弾性保持する手段は金属製のスプリングが適用されており、分別回収により資源の有効活用を図る観点から同一素材によって構成された商品の開発も強く望まれている。
【特許文献１】特開２００８−６４１０号公報
【発明の開示】
【発明が解決しようとする課題】
【０００６】
本発明の課題は、上記のような従来の問題を回避し得る新規なシャットオフノズルタイプの吐出ヘッドを提案するところにある。
【課題を解決するための手段】
【０００７】
本発明は、容器のポンプステムにつながる筒体を有し、該ステムの動きに合わせて移動可能とするべースと、このべースを摺動可能に内挿するヘッド本体と、このヘッド本体の横向き開口に嵌合保持され、該横向き開口から突出する先端を有するノズル部と、このノズル部の内側でその軸芯に沿って前後にスライド可能に弾性支持され、該ヘッド本体の押し込みによる後方へのスライドにてノズル部の噴出開孔を開放して容器内の内容物を外界へ噴出させるノズルピンを備えた吐出ヘッドであって、
前記ヘッド本体に、その内側にて固定保持され、ポンプステムにつながる筒体の連係部位を残して該ヘッド本体の内側領域を、内容物供給側とべース側とに区分する隔壁を設け、
該隔壁のべース側の壁面に、該べースの天面において弾性接触する舌片状の第１のばね部材を配置し、
該隔壁の内容物供給側の壁面に、ノズル部の軸芯に対して斜め下向きの傾斜面を有するガイド部材と、このガイド部材に一体連結しノズルピンの後端部に連係する支持部材と、この支持部材を弾性保持する第２のばね部材とを配置し、
前記べースに、ガイド部材の傾斜面に当接する傾斜面を有し、ヘッド本体の押し込みによってガイド部材を支持部材とともに第２のばね部材の付勢力に抗してヘッド本体の後方へ押しやる起立部材を設けたことを特徴とする吐出ヘッドである。
【０００８】
上記の構成になる吐出ヘッドにあっては、前記第１のばね部材、第２のばね部材、ガイド部材及び隔壁は、それらが全て一体的に成形されて単一部材を構成する合成樹脂が適用される。
【発明の効果】
【０００９】
本発明の吐出ヘッドは、ヘッド本体を押し込むと、起立部材の傾斜面においてガイド部材の傾斜面が滑動し該ガイド部材が第２のばね部材の付勢力に抗してヘッド本体の後方へ向けて押しやられ、この時、ノズルピンに連係する支持部材もガイド部材と同様にヘッド本体の後方へ押しやられることとなり、この後方移動によりノズル部の噴出開孔が開放されることから、通常の吐出ヘッドで使用されているＬ型のレバーやそれに付随する構成部材が不要となり内部構造が簡素化され、サイズのコンパクト化、デザインの自由度の拡大を図ることができる。
【００１０】
また、吐出ヘッドの内部にはスペースに余裕があるため、径の大きなノズルピンを適用することが可能であり、ノズルピンの強度の改善を図ることができるとともに、効率的な組み込みも可能となる。
【００１１】
さらに、第１のばね部材、第２のばね部材、ガイド部材及び隔壁は、合成樹脂にて一体成形することができるので、構成部材の部品点数を減らすことが可能であり、しかも金属製部材を使用する必要がない。
【発明を実施するための最良の形態】
【００１２】
以下、図面を参照して本発明をより具体的に説明する。
図１は本発明に吐出ヘッドの実施の形態を模式的に示した側面を断面で示した図であり、図２は図１のＡ−Ａ断面を示した図であり、図３は図１のＢ−Ｂ断面を示した図である。また、図４（ａ）〜（ｃ）は隔壁の側面、正面及び平面を示した図であり、さらに図５（ａ）（ｂ）はべースの側面、正面を示した図である。
【００１３】
図における１はべースである。このべース１は水平配置になるディスク状の基体１ａと、この基体１ａの縁部に一体連結してそれを取り囲む周壁１ｂと、基体１ａを上下において貫通し内容物の排出経路ｒを形成する筒体１ｃとから構成されている。筒体１ｃにおいて基体１ａの下面で垂下される下側筒体１ｃ１はポンプステムＳに嵌合しており、該ポンプステムＳの動きに合わせて上下に移動することができるようになっている。
【００１４】
２は吐出ヘッドの外観を形成しベース１を摺動可能に内挿するヘッド本体である。このヘッド本体２はディスク形状をなす天面壁２ａと、この天面壁２ａの縁部に一体連結して下向きに開放された開口を形成する周壁２ｂとからなる。周壁２ｂの内側面には抜け止め保持用の環状突起（複数の突起でもよい）２ｃが形成され、周壁２ｂの内側面でべース１が摺動する（ノズルピンのスライド代を確保するための摺動）ようになっている。
【００１５】
また、３は円筒状をなすノズル部である。このノズル部３の本体部分は、ヘッド本体２の周壁２ｂに形成された横向き開口２ｂ１の凹所空間に嵌合、固定され、その先端には、該横向き開口２ｂ１  を通り抜けて外界へ突出する先細り形状の先端部分３ａを有している。
【００１６】
４はヘッド本体２内側において内壁に一体的に設けられた筒体である。この筒体４は横向き開口２ｂ１の凹所空間につながっており、その内側には、べース１の筒体１ｃの上側筒体１ｃ２が摺動可能に配置されている。
【００１７】
５はノズル部３の外周壁の周りに個設けられた貫通孔である。この貫通孔５は１つ以上形成されていればよく、べース１に設けられた筒体１ｃに溝部５ａを介してつながることにより内容物の排出経路を形成する。
【００１８】
６はノズル部３の内側空間に配置されたノズルピンである。このノズルピン６はノズル部３の軸芯Ｌに沿う軸芯Ｌ１を有しノズル部３の内側に設けられたガイド３ｂ（ガイド３ｂとしてはリブ状のものが適用され、ガイド３ｂの相互間には内容物が通過する空間部が形成されている）にスライド可能に挿入されるピン本体６ａから構成されている。ピン本体６ａの先端には、ノズル部３の先端部分３ａに形成された開孔に適合して該開孔を閉塞するテーパ部６ｂ（湾曲面を含む）が形成されている。
【００１９】
７はノズルピン６のピン本体６ａの胴体周りに一体的に形成された環状のシール部材であり、このシール部材７はノズル部３の内周壁に弾性接触することにより内容物の漏れを防止する。
【００２０】
８はヘッド本体２の内側に固定保持された隔壁である。この隔壁８は、図４、図６に示したように、ディスク状の本体部分８ａの中央部に筒体４を通過せしめる開口８ｂが形成され、ヘッド本体２の内側領域を、内容物供給側Ｍとべース側Ｍ１とに区分する（図１参照）ようになっており、べース側Ｍ１の壁面にはべース１の基体１ａの天面において弾性接触する舌片状の第１のばね部材８ｃ、８ｄが開口８ｂを挟む対向位置において２つ設けられている（図４（ａ）〜（ｃ）、図６参照）。
【００２１】
また、隔壁８の内容物供給側Ｍの壁面には、片端のみが支持（支持部材に一体連結している）され、ノズル部３の軸芯に対して斜め下向きの傾斜面ｎ１、ｎ２を有する一対のガイド部材８ｅ、８ｆと、このガイド部材８ｅ、８ｆの片端において一体連結しノズルピン６の後端部に設けられた環状凹部６ｃ（図１参照）に連係するＵ字形状になる座部をもった板状の支持部材８ｇと、この支持部材８ｇを弾性保持する第２のばね部材８ｈが設けられている。
【００２２】
ばね部材８ｈは本体部分８ａから立ち上がり支持部材８ｇの上端部に連結する逆Ｕ字状に湾曲させた湾曲アーム（付勢力を有する）８ｈ１、８ｈ２と、この支持部材８ｇの下端に一体連結してヘッド本体２の後方の内側面に当接する端面を有しＵ字状に湾曲させた湾曲脚片（付勢力を有する）８ｈ３から構成されている。
【００２３】
９ａ、９ｂは、べース１の基体１ａに設けられた起立部材である（図５（ａ）（ｂ）参照）。この起立部材９ａ、９ｂはガイド部材８ｅ、８ｆの傾斜面ｎ１、ｎ２に当接する傾斜面９ａ１、９ｂ１を有しており、ヘッド本体２の押し込みによって傾斜面９ａ１、９ｂ１が傾斜面ｎ１、ｎ２に強く押し当たるようになっておりその相互間で滑動せしめてガイド部材８ｅ、８ｆをヘッド本体２の後方へ向けて押しやることができるようになっている。
【００２４】
上記の構成になる吐出ヘッドは、ヘッド本体２に押圧力を付加していない図１に示すような状態にあっては、ノズル部３の先端部分３ａにおける開孔にノズルピン６のテーパ部６ｂが合致している（図１参照）。
【００２５】
容器内の内容物を排出すべく、ヘッド本体２に押圧力を付加して押し下げると、まず、べース１が第１のばね部材８ｃ、８ｄの付勢力に抗してヘッド本体２の内側で摺動（べース１が隔壁８に近づくように摺動する）し、べース１の基体１ａに設けた起立片９ａ、９ｂが傾斜面９ａ１、９ｂ１においてガイド部材８ｅ、８ｆの傾斜面ｎ１、ｎ２に強く接触する。この接触によりガイド部材８ｅ、８ｆはアーム８ｈ１、８ｈ２及び脚片８ｈ３の付勢力に抗してヘッド本体２の後方に向けて押しやられ、図７に示すように、該ガイド部材８ｅ、８ｆにつながる支持部材８ｇがヘッド本体２の後方へ向けて移動してそれに連係するノズルピン６もヘッド本体２の後方へ移動することとなり、その結果としてノズル部３の先端部分３ａにおける開孔が開放される。
【００２６】
この押し込みに続いてさらにヘッド本体２を押し込むと、べース１はヘッド本体２とともに押し込まれることになり（べース１の摺動は停止する）、その下部に配置されるポンプが駆動され、ポンプステム、このポンプステムにつながる筒体１ｃ、筒体４、貫通孔５を通してノズル部３の先端部分３ａの開孔から内容物が排出され、押し込み動作を複数回繰り返すことにより内容物は連続的に排出される。
【００２７】
ヘッド本体２に付与する押し込み力を取り除くと、第１のばね部材８ｃ、８ｄの付勢力によりべース１と隔壁８は初期の間隔に復帰し、アーム８ｈ１、８ｈ２、脚片（付勢力を有する）８ｈ３も初期形状に復帰するとともにガイド部材８ｅ、８ｆは元の位置へと戻り、これによりノズルピン６が前方へと付勢されることになりノズルピン６のテーパ部６ｂが先端ノズル部３の開孔に適合して該開孔が閉塞する。
【００２８】
本発明にしたがう吐出ヘッドは、起立片９ａ、９ｂに傾斜面９ａ１、９ｂ１をそれぞれ設ける一方、隔壁８に、該傾斜面９ａ１、９ｂ１に適合する傾斜面ｎ１、ｎ２を形成したガイド部材８ｅ、８ｆを設け、ヘッド本体２の押し込みにより傾斜面９ａ１、９ｂ１と傾斜面ｎ１、ｎ２  との相互間において滑動を惹起せしめ、ガイド部材８ｅ、８ｆをヘッド本体２の後方へ向けて押しやることによりノズルピン６を確実に作動させることができるものであって、かかる構造によれば内部構造の簡素化が可能であり、径方向の寸法のみならず高さ方向寸法の短縮を図ることができ、外観形状も比較的に容易に変更しやすくなりデザインの自由度も広がる。
【００２９】
また、第１のばね部材８ｃ、８ｄ、ガイド部材８ｅ、８ｆ、支持部材８ｇ、第２のばね部材８ｈについては、隔壁８において一体成形する単一部材として構成することができるので、部品点数が少なくてすみ、効率的に組み立てが可能であり、しかも、金属部材を用いる必要もないので分別回収のための手間が省ける。
【産業上の利用可能性】
【００３０】
内部構造が簡素化されたコンパクトなシャットオフノズルタイプの吐出ヘッドが提供できる。
【図面の簡単な説明】
【００３１】
【図１】本発明にしたがう吐出ヘッドの実施の形態を示した図である。
【図２】図１のＡ−Ａ断面を示した図である。
【図３】図１のＢ−Ｂ断面を示した図である。
【図４】（ａ）〜（ｃ）は隔壁の平面、正面及び側面（断面）を示した図である。
【図５】（ａ）はべースの正面を示した図であり、（ｂ）はべースの側面を示した図である。
【図６】隔壁の外観斜視図である。
【図７】ヘッド本体を押し込んだ状態を示した図である。
【符号の説明】
【００３２】
１      べース
１ａ    基体
１ｂ    周壁
１ｃ    筒体
１ｃ１   下側筒体
１ｃ２   上側筒体
２      ヘッド本体
２ａ    天面壁
２ｂ    周壁
２ｂ１   横向き開口
２ｃ    環状突起
３      ノズル部
３ａ    先端部分
３ｂ    ガイド
４      筒体
５      貫通孔
５ａ    溝部
６      ノズルピン
６ａ    ピン本体
６ｂ    テーパ部
７      シール部材
８      隔壁
８ａ    本体部分
８ｂ    開口
８ｃ    第１のばね部材
８ｄ    第１のばね部材
８ｅ    ガイド部材
８ｆ    ガイド部材
８ｇ    支持部材
８ｈ    第２のばね部材
９ａ    起立部材
９ｂ    起立部材
９ａ１   傾斜面
９ｂ１   傾斜面
Ｓ      ポンプステム
Ｌ      軸芯
Ｌ１     軸芯
Ｍ      内容物供給側
Ｍ１     べース側
ｎ１     傾斜面
ｎ２     傾斜面
【図１】
2010104917.tif 000003
【図２】
2010104917.tif 000004
【図３】
2010104917.tif 000005
【図４】
2010104917.tif 000006
【図５】
2010104917.tif 000007
【図６】
2010104917.tif 000008
【図７】
2010104917.tif 000009